(57)【要約】【課題】コンテンツの配信ルートを容易かつ適切に決定することができ、コンテンツの配信のための事前決定における作業負担を軽減させる。【解決手段】配信先選択処理において、コンテンツ配信ルート決定支援サーバは、コンテンツＤに関する制作者情報に含まれている映画館条件情報を読み出す。次いで、映画館情報を読み出し、映画館条件情報と比較して、映画館条件情報に示された条件を満たしているか否か確認する。条件を満たしていれば、その映画館情報が示す映画館の名称を、配信先リストに登録する。このような処理を各映画館情報について実行し、未確認の映画館情報がなくなる作成された配信先リストをデータベースに格納する。このようにして、コンテンツＤの配信先の映画館が選択されるので、コンテンツＤの配信のための事前決定における作業負担が軽減される。【選択図】　図８
2004118640.tif 000002
【特許請求の範囲】
【請求項１】
通信ネットワークを介してコンテンツを提供するコンテンツ提供端末と、利用するコンテンツを通信ネットワークを介して受信するコンテンツ利用者端末との間で送受されるコンテンツの提供ルートを決定するための支援処理を行うコンテンツ提供ルート決定支援サーバであって、
前記コンテンツ提供端末からのコンテンツを利用する利用施設の条件を示す利用施設条件情報を含む提供者情報と、前記利用者端末からの利用施設の内容を含む利用者情報とを通信ネットワークを介して受信する情報受信手段と、
受信した前記提供者情報および前記利用者情報を保存する情報保存手段と、
前記情報保存手段に保存されている利用者情報の中から前記利用施設条件情報が示す条件を満たす利用者情報を抽出し、抽出した利用者情報が示すコンテンツ利用者端末を、当該利用施設条件情報を含む提供者情報が示すコンテンツの提供先として選択する提供先選択手段と
を含むコンテンツ提供ルート決定支援サーバ。
【請求項２】
情報受信手段は、コンテンツの広告を行う広告業者が管理するコンテンツ広告業者端末からの、広告能力を示す広告業者情報を受信し、
情報保存手段は、前記広告業者情報を保存し、
提供者情報は、広告業務を依頼する広告業者の条件を示す広告業者条件情報を含み、
前記情報保存手段に保存されている広告業者情報の中から前記広告業者条件情報が示す条件を満たす広告業者情報を抽出し、抽出した広告業者情報が示す広告業者を、当該広告業者条件情報を含む提供者情報が示すコンテンツの広告を依頼する業者として選択する広告業者選択手段を備えた
請求項１記載のコンテンツ提供ルート決定支援サーバ。
【請求項３】
通信ネットワークを介してコンテンツを提供するコンテンツ提供端末と、利用するコンテンツを通信ネットワークを介して受信するコンテンツ利用者端末との間で送受されるコンテンツの提供ルートを決定するための支援処理を行うコンテンツ提供ルート決定支援サーバであって、
前記コンテンツ提供端末からのコンテンツの内容を含む提供者情報と、前記利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信する情報受信手段と、
受信した前記提供者情報、前記利用者情報および前記広告業者情報を保存する情報保存手段と、
情報保存手段に保存されている提供者情報の中から前記コンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択する広告対象コンテンツ選択手段と
を含むコンテンツ提供ルート決定支援サーバ。
【請求項４】
広告業者情報は、広告を行う所定のコンテンツを利用する利用施設の条件を示す利用施設条件情報を含み、
情報保存手段に保存されている利用者情報の中から前記利用施設条件情報が示す条件を満たす利用者情報を抽出し、抽出した利用者情報が示すコンテンツ利用者端末を、当該利用施設条件情報を含む広告業者情報が示す前記所定のコンテンツの提供先として選択する提供先選択手段を備えた
請求項３記載のコンテンツ提供ルート決定支援サーバ。
【請求項５】
通信ネットワークを介してコンテンツを提供するコンテンツ提供端末と、利用するコンテンツを通信ネットワークを介して受信するコンテンツ利用者端末との間で送受されるコンテンツの提供ルートを決定するための支援処理を行うコンテンツ提供ルート決定支援サーバであって、
前記コンテンツ提供端末からのコンテンツの内容を含む提供者情報と、前記利用者端末からの利用するコンテンツの内容の条件を示すコンテンツ条件情報を含む利用者情報とを通信ネットワークを介して受信する情報受信手段と、
受信した前記提供者情報および前記利用者情報を保存する情報保存手段と、
前記情報保存手段に保存されている提供者情報の中から前記コンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択する提供コンテンツ選択手段と
を含むコンテンツ提供ルート決定支援サーバ。
【請求項６】
情報受信手段は、コンテンツの広告を行う広告業者が管理するコンテンツ広告業者端末からの、広告能力を示す広告業者情報を受信し、
情報保存手段は、前記広告業者情報を保存し、
利用者情報は、提供を受ける所定のコンテンツの広告業務を依頼する広告業者の条件を示す広告業者条件情報を含み、
前記情報保存手段に保存されている広告業者情報の中から前記広告業者条件情報が示す条件を満たす広告業者情報を抽出し、抽出した広告業者情報が示す広告業者を、当該広告業者条件情報を含む利用者情報が示す前記所定のコンテンツの広告を依頼する業者として選択する広告業者選択手段を備えた
請求項５記載のコンテンツ提供ルート決定支援サーバ。
【請求項７】
コンテンツは、映画の上映に用いられる映画データである
請求項１から請求項６のうちいずれか１項に記載のコンテンツ提供ルート決定支援サーバ。
【請求項８】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、
前記コンテンツ提供端末からのコンテンツを利用する利用施設の条件を示す利用施設条件情報を含む提供者情報と、前記利用者端末からの利用施設の内容を含む利用者情報とを通信ネットワークを介して受信するステップと、
受信した前記提供者情報および前記利用者情報を保存するステップと、
保存されている利用者情報の中から前記利用施設条件情報が示す条件を満たす利用者情報を抽出し、抽出した利用者情報が示すコンテンツ利用者端末を、当該利用施設条件情報を含む提供者情報が示すコンテンツの提供先として選択するステップと
を含むコンテンツ提供ルート決定支援方法。
【請求項９】
提供者情報は、コンテンツの広告業務を依頼する広告業者の条件を示す広告業者条件情報を含み、
広告業者が管理するコンテンツ広告業者端末からの広告能力を示す広告業者情報を受信するステップと、
前記広告業者情報を保存するステップと、
保存されている広告業者情報の中から前記広告業者条件情報が示す条件を満たす広告業者情報を抽出し、抽出した広告業者情報が示す広告業者を、当該広告業者条件情報を含む提供者情報が示すコンテンツの広告を依頼する業者として選択するステップとを含む
請求項８記載のコンテンツ提供ルート決定支援方法。
【請求項１０】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、
前記コンテンツ提供端末からのコンテンツの内容を含む提供者情報と、前記利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、
受信した前記提供者情報、前記利用者情報および前記広告業者情報を保存するステップと、
保存されている提供者情報の中から前記コンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップと
を含むコンテンツ提供ルート決定支援方法。
【請求項１１】
広告業者情報は、広告を行う所定のコンテンツを利用する利用施設の条件を示す利用施設条件情報を含み、
保存されている利用者情報の中から前記利用施設条件情報が示す条件を満たす利用者情報を抽出し、抽出した利用者情報が示すコンテンツ利用者端末を、当該利用施設条件情報を含む広告業者情報が示す前記所定のコンテンツの提供先として選択するステップを含む
請求項１０記載のコンテンツ提供ルート決定支援方法。
【請求項１２】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、
前記コンテンツ提供端末からのコンテンツの内容を含む提供者情報と、前記利用者端末からの利用するコンテンツの内容の条件を示すコンテンツ条件情報を含む利用者情報とを通信ネットワークを介して受信するステップと、
受信した前記提供者情報および前記利用者情報を保存するステップと、
保存されている提供者情報の中から前記コンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップと
を含むコンテンツ提供ルート決定支援方法。
【請求項１３】
利用者情報は、提供を受ける所定のコンテンツの広告業務を依頼する広告業者の条件を示す広告業者条件情報を含み、
広告業者が管理するコンテンツ広告業者端末からの広告能力を示す広告業者情報を受信するステップと、
前記広告業者情報を保存するステップと、
保存されている広告業者情報の中から前記広告業者条件情報が示す条件を満たす広告業者情報を抽出し、抽出した広告業者情報が示す広告業者を、当該広告業者条件情報を含む利用者情報が示す前記所定のコンテンツの広告を依頼する業者として選択するステップとを含む
請求項１２記載のコンテンツ提供ルート決定支援方法。
【請求項１４】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、
コンピュータに、
前記コンテンツ提供端末からのコンテンツを利用する利用施設の条件を示す利用施設条件情報を含む提供者情報と、前記利用者端末からの利用施設の内容を含む利用者情報とを通信ネットワークを介して受信するステップと、
受信した前記提供者情報および前記利用者情報を保存するステップと、
保存されている利用者情報の中から前記利用施設条件情報が示す条件を満たす利用者情報を抽出し、抽出した利用者情報が示すコンテンツ利用者端末を、当該利用施設条件情報を含む提供者情報が示すコンテンツの提供先として選択するステップと
を実行させることを特徴とするコンテンツ提供ルート決定支援プログラム。
【請求項１５】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、
コンピュータに、
前記コンテンツ提供端末からのコンテンツの内容を含む提供者情報と、前記利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、
受信した前記提供者情報、前記利用者情報および前記広告業者情報を保存するステップと、
保存されている提供者情報の中から前記コンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップと
を実行させることを特徴とするコンテンツ提供ルート決定支援プログラム。
【請求項１６】
通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、
コンピュータに、
前記コンテンツ提供端末からのコンテンツの内容を含む提供者情報と、前記利用者端末からの利用するコンテンツの内容の条件を示すコンテンツ条件情報を含む利用者情報とを通信ネットワークを介して受信するステップと、
受信した前記提供者情報および前記利用者情報を保存するステップと、
保存されている提供者情報の中から前記コンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップと
を実行させることを特徴とするコンテンツ提供ルート決定支援プログラム。
【発明の詳細な説明】
【０００１】
【発明の属する技術分野】
本発明は、映画を上映するための映画データなどのコンテンツを通信ネットワークを介して提供する際の提供元と提供先との組合せを決定するための支援処理を行うコンテンツ提供ルート決定支援サーバ、コンテンツ提供ルート決定支援方法、およびコンテンツの提供ルートを決定するための処理をコンピュータに実行させるためのプログラムに関する。
【０００２】
【従来の技術】
従来から、映画制作者によって映画が制作されると、その映画を上映する映画館に映画フィルムが配給されることになっている。具体的には、映画制作者は、映画の撮影および編集を行って編集済のフィルムを作成し、そのフィルムから配給用のマスターフィルムを作成する。次いで、この配給用のマスターフィルムから必要数の編集済フィルムを作成し、配給会社に配送する。配給会社は、受け取った編集済フィルムから多数のフィルムを作成し、作成したフィルムを映画フィルムとして各映画館に配給する。なお、映画の上映期間が終了すると、各映画館から映画フィルムが返却される。
【０００３】
上記の配給方式では、多数の映画フィルムを作成する必要がある他、映画フィルムを配送により配給したり回収したりしなくてはならないため、多くの時間を要するとともに、高コストとなってしまっていた。
【０００４】
近年、映画を映画フィルムではなく電子データである映画データとし、その映画データを通信ネットワークを介して配給会社や映画館に向けて配信するシステムが提案されている（例えば、特許文献１および特許文献２参照。）。
【０００５】
【特許文献１】
特開２００２−１１８８３４号公報
【特許文献２】
特開２００２−１７１４７１号公報
【０００６】
【発明が解決しようとする課題】
映画データが通信ネットワークを介して配信されるようになったとしても、映画データを、どの配給会社を介してどの映画館に配給するかについてはあらかじめ決定しておく必要がある。
【０００７】
しかし、そのような映画データの配信ルートを事前に選択しておくシステムは存在しておらず、映画制作者、配給会社および映画館管理者それぞれの協議によって各映画毎に決定せざるを得ない。このように、映画データの配信ルートを決定するまでの煩わしい作業は依然として行わなければならないという問題があった。
【０００８】
また、協議などによって配信ルートを決定するようにしているので、限られた相手としか交渉することができず、映画制作者、配給会社および映画館管理者にとって、自己の事業を成功させるために最適な配信ルートを決定しておくことは困難であるという問題があった。
【０００９】
なお、映画データに限らず、画像データや動画像データなどの他のコンテンツについても、通信ネットワークを介してコンテンツの利用者（例えば公民館やコンサート会場などにおいてコンテンツを用いて何らかのイベントを行う業者）に配信されるようなものについては、同様の問題がある。
【００１０】
本発明は上述した問題を解消し、コンテンツの配信ルートを容易かつ適切に決定することができ、コンテンツの配信のための事前決定における作業負担を軽減させることができるようにすることを目的とする。
【００１１】
【課題を解決するための手段】
上記の問題を解決するために、本発明のコンテンツ提供ルート決定支援サーバ（例えばコンテンツ配信ルート決定支援サーバ２０）は、通信ネットワークを介してコンテンツ（例えば映画データ）を提供するコンテンツ提供端末（例えばコンテンツ制作者端末３０）と、利用するコンテンツを通信ネットワークを介して受信するコンテンツ利用者端末（例えばコンテンツ利用者端末４０）との間で送受されるコンテンツの提供ルートを決定するための支援処理を行うコンテンツ提供ルート決定支援サーバであって、コンテンツ提供端末からのコンテンツを利用する利用施設の条件を示す利用施設条件情報（例えば映画館条件情報）を含む提供者情報（例えば制作者情報）と、利用者端末からの利用施設の内容を含む利用者情報（例えば映画館情報）とを通信ネットワークを介して受信する情報受信手段（例えばコンテンツ配信ルート決定支援サーバ２０におけるステップＳ１０３やステップＳ３０３を実行する部分）と、受信した提供者情報および利用者情報を保存（例えばステップＳ１０４やステップＳ３０４にて保存する分）する情報保存手段（例えばデータベース２１）と、情報保存手段に保存されている利用者情報の中から利用施設条件情報が示す条件を満たす利用者情報を抽出し（例えばステップＳ４０４）、抽出した利用者情報が示すコンテンツ利用者端末を、当該利用施設条件情報を含む提供者情報が示すコンテンツの提供先として選択する提供先選択手段（例えばコンテンツ配信ルート決定支援サーバ２０におけるステップＳ４０４を含む繰り返し処理にて配信先リストを作成する部分）とを含むものである。
【００１２】
上記の構成としたことで、コンテンツの提供者が指定した条件を満たすコンテンツの提供先を的確に抽出することができ、コンテンツを有効に利用することができる利用施設を有する利用者にコンテンツを提供することを容易かつ迅速に決定することができる。
【００１３】
情報受信手段が、コンテンツの広告を行う広告業者が管理するコンテンツ広告業者端末（例えばコンテンツ広告業者端末５０）からの、広告能力を示す広告業者情報（例えば広告業者情報）を受信し、情報保存手段が、広告業者情報を保存し（例えばステップＳ２０４）、提供者情報は、広告業務を依頼する広告業者の条件を示す広告業者条件情報（例えば広告業者条件情報）を含み、情報保存手段に保存されている広告業者情報の中から広告業者条件情報が示す条件を満たす広告業者情報を抽出し（例えばステップＳ５０４）、抽出した広告業者情報が示す広告業者を、当該広告業者条件情報を含む提供者情報が示すコンテンツの広告を依頼する業者として選択する広告業者選択手段（例えばコンテンツ配信ルート決定支援サーバ２０におけるステップＳ５０４を含む繰り返し処理にて依頼先広告業者リストを作成する部分）を備えた構成とされていてもよい。
【００１４】
上記の構成としたことで、コンテンツの提供者が指定した条件を満たすコンテンツの広告業者を的確に抽出することができ、意図する広告業者の選択を容易かつ迅速に行うことができる。
【００１５】
また、本発明のコンテンツ提供ルート決定支援サーバ（例えばコンテンツ配信ルート決定支援サーバ２０）は、通信ネットワークを介してコンテンツを提供するコンテンツ提供端末（例えばコンテンツ制作者端末３０）と、利用するコンテンツを通信ネットワークを介して受信するコンテンツ利用者端末（例えばコンテンツ利用者端末４０）との間で送受されるコンテンツの提供ルートを決定するための支援処理を行うコンテンツ提供ルート決定支援サーバであって、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信する情報受信手段と、受信した提供者情報、利用者情報および広告業者情報を保存する情報保存手段と、情報保存手段に保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択する広告対象コンテンツ選択手段（例えばコンテンツ配信ルート決定支援サーバ２０におけるステップＳ６０４を含む繰り返し処理にてコンテンツリストを作成する部分）とを含むものである。
【００１６】
上記の構成としたことで、コンテンツの広告業者が指定した条件を満たすコンテンツを的確に抽出することができ、広告対象のコンテンツを容易かつ迅速に決定することができる。
【００１７】
広告業者情報は、広告を行う所定のコンテンツを利用する利用施設の条件を示す利用施設条件情報を含み、情報保存手段に保存されている利用者情報の中から利用施設条件情報が示す条件を満たす利用者情報を抽出し、抽出した利用者情報が示すコンテンツ利用者端末を、当該利用施設条件情報を含む広告業者情報が示す所定のコンテンツの提供先として選択する提供先選択手段（例えばコンテンツ配信ルート決定支援サーバ２０におけるステップＳ７０４を含む繰り返し処理にて配信先リストを作成する部分）を備えた構成とされていてもよい。
【００１８】
上記の構成としたことで、コンテンツの広告業者が指定した条件を満たす利用者を的確に抽出することができ、広告対象のコンテンツの利用に適した利用者を容易かつ迅速に決定することができる。
【００１９】
また、本発明のコンテンツ提供ルート決定支援サーバ（例えばコンテンツ配信ルート決定支援サーバ２０）は、通信ネットワークを介してコンテンツを提供するコンテンツ提供端末（例えばコンテンツ制作者端末３０）と、利用するコンテンツを通信ネットワークを介して受信するコンテンツ利用者端末（例えばコンテンツ利用者端末４０）との間で送受されるコンテンツの提供ルートを決定するための支援処理を行うコンテンツ提供ルート決定支援サーバであって、コンテンツ提供端末からのコンテンツの内容を含む提供者情報と、利用者端末からの利用するコンテンツの内容の条件を示すコンテンツ条件情報を含む利用者情報とを通信ネットワークを介して受信する情報受信手段と、受信した提供者情報および利用者情報を保存する情報保存手段と、情報保存手段に保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択する提供コンテンツ選択手段（例えばコンテンツ配信ルート決定支援サーバ２０におけるステップＳ８０４を含む繰り返し処理にてコンテンツリストを作成する部分）とを含むものである。
【００２０】
上記の構成としたことで、コンテンツの利用者が指定した条件を満たすコンテンツを的確に抽出することができ、利用対象のコンテンツを容易かつ迅速に決定することができる。
【００２１】
情報受信手段が、コンテンツの広告を行う広告業者が管理するコンテンツ広告業者端末からの、広告能力を示す広告業者情報を受信し、情報保存手段が、広告業者情報を保存し、利用者情報は、提供を受ける所定のコンテンツの広告業務を依頼する広告業者の条件を示す広告業者条件情報を含み、情報保存手段に保存されている広告業者情報の中から広告業者条件情報が示す条件を満たす広告業者情報を抽出し、抽出した広告業者情報が示す広告業者を、当該広告業者条件情報を含む利用者情報が示す所定のコンテンツの広告を依頼する業者として選択する広告業者選択手段（例えばコンテンツ配信ルート決定支援サーバ２０におけるステップＳ９０４を含む繰り返し処理にて広告業者リストを作成する部分）を備えた構成としてもよい。
【００２２】
上記の構成としたことで、コンテンツの利用者が指定した条件を満たすコンテンツの広告業者を的確に抽出することができ、意図する広告業者の選択を容易かつ迅速に行うことができる。
【００２３】
コンテンツが、映画の上映に用いられる映画データであるように構成されていてもよい。
【００２４】
上記の構成としたことで、映画データの提供元や提供先などの組合せを容易かつ迅速に行うことができるようになる。
【００２５】
また、本発明のコンテンツ提供ルート決定支援方法は、通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、コンテンツ提供端末からのコンテンツを利用する利用施設の条件を示す利用施設条件情報を含む提供者情報と、利用者端末からの利用施設の内容を含む利用者情報とを通信ネットワークを介して受信するステップと、受信した提供者情報および利用者情報を保存するステップと、保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択するステップとを含むものである。
【００２６】
上記の構成としたことで、コンテンツの提供者が指定した条件を満たすコンテンツの提供先を的確に抽出することができ、コンテンツを有効に利用することができる利用施設を有する利用者にコンテンツを提供することを容易かつ迅速に決定することができる。
【００２７】
提供者情報は、コンテンツの広告業務を依頼する広告業者の条件を示す広告業者条件情報を含み、広告業者が管理するコンテンツ広告業者端末からの広告能力を示す広告業者情報を受信するステップと、広告業者情報を保存するステップと、保存されている広告業者情報の中から広告業者条件情報が示す条件を満たす広告業者情報を抽出し、抽出した広告業者情報が示す広告業者を、当該広告業者条件情報を含む提供者情報が示すコンテンツの広告を依頼する業者として選択するステップとを含む構成とされていてもよい。
【００２８】
上記の構成としたことで、コンテンツの提供者が指定した条件を満たすコンテンツの広告業者を的確に抽出することができ、意図する広告業者の選択を容易かつ迅速に行うことができる。
【００２９】
また、本発明のコンテンツ提供ルート決定支援方法は、通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、受信した提供者情報、利用者情報および広告業者情報を保存するステップと、保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップとを含むものである。
【００３０】
上記の構成としたことで、コンテンツの広告業者が指定した条件を満たすコンテンツを的確に抽出することができ、広告対象のコンテンツを容易かつ迅速に決定することができる。
【００３１】
広告業者情報は、広告を行う所定のコンテンツを利用する利用施設の条件を示す利用施設条件情報を含み、保存されている利用者情報の中から利用施設条件情報が示す条件を満たす利用者情報を抽出し、抽出した利用者情報が示すコンテンツ利用者端末を、当該利用施設条件情報を含む広告業者情報が示す所定のコンテンツの提供先として選択するステップを含む構成とされていてもよい。
【００３２】
上記の構成としたことで、コンテンツの広告業者が指定した条件を満たす利用者を的確に抽出することができ、広告対象のコンテンツの利用に適した利用者を容易かつ迅速に決定することができる。
【００３３】
また、本発明のコンテンツ提供ルート決定支援方法は、通信ネットワークを介してコンテンツを提供するコンテンツ提供端末と、利用するコンテンツを通信ネットワークを介して受信するコンテンツ利用者端末との間で送受されるコンテンツの提供ルートの決定を支援するためのコンテンツ提供ルート決定支援方法であって、コンテンツ提供端末からのコンテンツの内容を含む提供者情報と、利用者端末からの利用するコンテンツの内容の条件を示すコンテンツ条件情報を含む利用者情報とを通信ネットワークを介して受信するステップと、受信した提供者情報および利用者情報を保存するステップと、保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップとを含むものである。
【００３４】
上記の構成としたことで、コンテンツの利用者が指定した条件を満たすコンテンツを的確に抽出することができ、利用対象のコンテンツを容易かつ迅速に決定することができる。
【００３５】
利用者情報は、提供を受ける所定のコンテンツの広告業務を依頼する広告業者の条件を示す広告業者条件情報を含み、広告業者が管理するコンテンツ広告業者端末からの広告能力を示す広告業者情報を受信するステップと、広告業者情報を保存するステップと、保存されている広告業者情報の中から広告業者条件情報が示す条件を満たす広告業者情報を抽出し、抽出した広告業者情報が示す広告業者を、当該広告業者条件情報を含む利用者情報が示す所定のコンテンツの広告を依頼する業者として選択するステップとを含む構成とされていてもよい。
【００３６】
上記の構成としたことで、コンテンツの利用者が指定した条件を満たすコンテンツの広告業者を的確に抽出することができ、意図する広告業者の選択を容易かつ迅速に行うことができる。
【００３７】
また、本発明のコンテンツ提供ルート決定支援プログラムは、通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、コンピュータに、コンテンツ提供端末からのコンテンツを利用する利用施設の条件を示す利用施設条件情報を含む提供者情報と、利用者端末からの利用施設の内容を含む利用者情報とを通信ネットワークを介して受信するステップと、受信した提供者情報および利用者情報を保存するステップと、保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択するステップとを実行させることを特徴とするものである。
【００３８】
上記の構成としたことで、コンピュータに、コンテンツの提供者が指定した条件を満たすコンテンツの提供先を的確に抽出させることができ、コンテンツを有効に利用することができる利用施設を有する利用者にコンテンツを提供することを容易かつ迅速に決定することができる。
【００３９】
また、本発明のコンテンツ提供ルート決定支援プログラムは、通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、コンピュータに、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、受信した提供者情報、利用者情報および広告業者情報を保存するステップと、保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップとを実行させることを特徴とするものである。
【００４０】
上記の構成としたことで、コンピュータに、コンテンツの広告業者が指定した条件を満たすコンテンツを的確に抽出させることができ、広告対象のコンテンツを容易かつ迅速に決定することができる。
【００４１】
さらに、本発明のコンテンツ提供ルート決定支援プログラムは、通信ネットワークを介してコンテンツを提供するコンテンツ提供端末と、利用するコンテンツを通信ネットワークを介して受信するコンテンツ利用者端末との間で送受されるコンテンツの提供ルートの決定を支援させるためのコンテンツ提供ルート決定支援プログラムであって、コンピュータに、コンテンツ提供端末からのコンテンツの内容を含む提供者情報と、利用者端末からの利用するコンテンツの内容の条件を示すコンテンツ条件情報を含む利用者情報とを通信ネットワークを介して受信するステップと、受信した提供者情報および利用者情報を保存するステップと、保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップとを実行させることを特徴とするものである。
【００４２】
上記の構成としたことで、コンピュータに、コンテンツの利用者が指定した条件を満たすコンテンツを的確に抽出させることができ、利用対象のコンテンツを容易かつ迅速に決定することができる。
【００４３】
【発明の実施の形態】
以下、本発明の第１の実施の形態について図面を参照して説明する。
図１は、本例のコンテンツ配信ルート決定支援システムの構成例を示すブロック図である。コンテンツ配信ルート決定支援システム１０は、コンテンツ配信ルート決定支援サーバ２０と、コンテンツ制作者端末３０と、コンテンツ利用者端末４０と、コンテンツ広告業者端末５０とを含む。コンテンツ配信ルート決定支援サーバ２０と、コンテンツ制作者端末３０と、コンテンツ利用者端末４０と、コンテンツ広告業者端末５０とは、それぞれインターネットなどの通信ネットワーク６０に接続されている。なお、コンテンツ制作者端末３０と、コンテンツ利用者端末４０と、コンテンツ広告業者端末５０は、図１にはそれぞれ１つ示されているが、いくつ設けられていてもよい。
【００４４】
本例では、本システム１０で配信されるコンテンツとして、映画の上映に用いられる映画データが用いられるものとする。映画データは、撮影に用いられたフィルムなどを電子データ化したものであってもよく、ディジタルビデオカメラなどを用いて撮影することによって電子データとして撮影時に取り込まれたものであってもよい。なお、映画データによる映画は、実写、アニメーション、コンピュータグラフィクスなど、どのような画像を用いたものであってもよい。
【００４５】
コンテンツ配信ルート決定支援サーバ２０は、例えばインターネットサーバなどの情報処理装置により構成され、本システム１０を管理するシステム管理者によって管理される。コンテンツ配信ルート決定支援サーバ２０は、ＷＷＷ（Ｗｏｒｌｄ　Ｗｉｄｅ　Ｗｅｂ）サーバとしての機能を有するとともに、各種の情報の登録や変更の受け付けなどのサービスを提供するためのＷｅｂサイトを含むＷｅｂページの運営を行う機能を有している。
【００４６】
また、コンテンツ配信ルート決定支援サーバ２０は、コンテンツ制作者から取得した情報、コンテンツ利用者から取得した情報、およびコンテンツ配信仲介者から取得した情報を含む各種の情報を格納するデータベース２１を備えている。また、コンテンツ配信ルート決定支援サーバ２０は、コンテンツの配信先を決定する機能などの各種の機能を有する。
【００４７】
コンテンツ制作者端末３０、コンテンツ利用者端末４０、およびコンテンツ広告業者端末５０は、それぞれ、例えばパーソナルコンピュータなどの情報処理装置によって構成される。コンテンツ制作者端末３０、コンテンツ利用者端末４０、およびコンテンツ広告業者端末５０は、それぞれ、インターネットなどのネットワーク６０への接続や、通信ネットワーク６０を利用した情報の送受などを行うことができる環境（ハードウェア、ソフトウェアなどにおける環境）を有している。
【００４８】
コンテンツ制作者端末３０は、コンテンツの制作を行うコンテンツ制作者によって管理される。コンテンツ制作者には、具体的には、例えば映画制作者などが該当する。
【００４９】
コンテンツ利用者端末４０は、コンテンツを一般に公開するコンテンツ利用者によって管理される。コンテンツ利用者には、具体的には、例えば映画の上映を行う映画館の管理者などが該当する。
【００５０】
コンテンツ広告業者端末５０は、コンテンツの広告や宣伝を行うコンテンツ広告業者によって管理される。コンテンツ広告業者には、具体的には、例えば映画の宣伝広告などを行ういわゆる配給業者が該当する。
【００５１】
次に、本例のコンテンツ配信ルート決定支援システム１０の動作について図面を参照して説明する。
図２は、本例のコンテンツ配信ルート決定支援システム１０における映画館情報取得処理の一例を示すフローチャートである。
【００５２】
ここでは、コンテンツ配信ルート決定支援サーバ２０が、コンテンツ利用者端末４０を管理する映画館Ａの管理者から取得した後述する映画館情報を取得し、データベース２１に格納する処理が実行される。なお、映画館Ａの管理者は、コンテンツ配信ルート決定支援サーバ２０に対して、コンテンツ利用者端末４０を用いて予めユーザ登録を行い、ユーザＩＤとパスワードを取得しているものとする。
【００５３】
先ず、コンテンツ配信ルート決定支援サーバ２０は、コンテンツ利用者端末４０からのアクセス要求があると、ユーザＩＤとパスワードの入力を要求する。なお、アクセス要求は、例えば、コンテンツ配信ルート決定支援サーバ２０のＵＲＬ（Ｕｎｉｆｏｒｍ　Ｒｅｓｏｕｒｃｅ　Ｌｏｃａｔｏｒ）を指定することによってなされる。そして、コンテンツ配信ルート決定支援サーバ２０は、要求に応じて入力されたユーザＩＤとパスワードによって認証すると、コンテンツ利用者端末４０からのアクセスを許容する。コンテンツ利用者端末４０は、アクセスが許容されると、映画館Ａの管理者の操作に応じて、コンテンツ配信ルート決定支援サーバ２０に対して、映画館情報の登録依頼または変更依頼を行う。この場合、映画館情報を最初に登録するときには登録依頼となり、過去に映画館情報の登録を行っていた場合には変更依頼となる。
【００５４】
コンテンツ配信ルート決定支援サーバ２０は、コンテンツ利用者端末４０からの映画館情報の登録依頼または変更依頼があると（ステップＳ１０１）、映画館情報入力画面を表示させるための映画館情報入力画面情報を、ネットワーク６０を介してコンテンツ利用者端末４０に向けて送信する（ステップＳ１０２）。
【００５５】
映画館情報入力画面情報を取得すると、コンテンツ利用者端末４０は、映画館情報入力画面情報に基づく映画館情報入力画面を自己が備える表示装置（例えば液晶表示装置）に表示する。
【００５６】
図３は、映画情報入力画面の一例を示す説明図である。図３に示すように、映画情報入力画面には、映画館Ａの名称を表示する表示領域７１と、その他の映画館情報を入力する入力領域７２とが設けられている。映画館情報は、例えば、図３に示すように、映画館の名称、材質・色・サイズ・形状などのスクリーンに関する情報、製造メーカ・機種・ロット・装着フィルター種別などのプロジェクタに関する情報、座席数・形状・音響特性・残響値・チャネル数・サラウンド方式などのホールに関する情報、営業時間に関する情報、定休日に関する情報、平日の動員観客平均人数・休日の動員観客平均人数・顧客層（大人、学生、子供の別）などのチケッティングに関する情報など、映画館に関する様々な情報が含まれる。なお、図３に示した映画館情報は一例であり、例えば、最寄り駅からの所要時間や、上映予定が入っていない期間など、映画館に関する他の情報が含まれ得る。
【００５７】
映画館情報入力画面が表示されると、映画館Ａの管理者は、コンテンツ利用者端末４０が備える入力装置（例えば、キーボード、マウス）を用いて、各入力領域７２に自己の管理する映画館Ａについての映画館情報を入力する。コンテンツ利用者端末４０は、映画館情報の入力を終えた管理者からの指示に従って、入力された映画館情報を、通信ネットワーク６０を介してコンテンツ配信ルート決定支援サーバ２０に向けて送信する。
【００５８】
なお、過去に映画館情報の登録を行っていた場合には、コンテンツ利用者端末４０に映画情報入力画面が表示されるときに、各入力領域７２に現在の登録情報が表示される。よって、変更がある場合には、入力領域７２に表示されている既登録情報を削除したり変更したりすればよい。
【００５９】
映画館情報を受信すると（ステップＳ１０３）、コンテンツ配信ルート決定支援サーバ２０は、受信した映画館情報をデータベース２１に格納し（ステップＳ１０４）、映画館情報を新規登録または更新する。映画館情報がデータベース２１に格納されると、ここでの映画館情報取得処理が終了する。
【００６０】
図４は、本例のコンテンツ配信ルート決定支援システム１０における広告業者情報取得処理の一例を示すフローチャートである。
【００６１】
ここでは、コンテンツ配信ルート決定支援サーバ２０が、コンテンツ広告業者端末５０から取得した後述する広告業者情報を、データベース２１に格納する処理が実行される。なお、コンテンツ広告業者端末５０を管理する広告業者Ｂは、コンテンツ配信ルート決定支援サーバ２０に対して、コンテンツ広告業者端末５０を用いて予めユーザ登録を行い、ユーザＩＤとパスワードを取得しているものとする。
【００６２】
先ず、コンテンツ配信ルート決定支援サーバ２０は、コンテンツ広告業者端末５０からのアクセス要求があると、ユーザＩＤとパスワードの入力を要求する。なお、アクセス要求は、例えば、コンテンツ配信ルート決定支援サーバ２０のＵＲＬを指定することによってなされる。そして、コンテンツ配信ルート決定支援サーバ２０は、要求に応じて入力されたユーザＩＤとパスワードによって認証すると、コンテンツ広告業者端末５０からのアクセスを許容する。コンテンツ広告業者端末５０は、アクセスが許容されると、広告業者Ｂの担当者の操作に応じて、コンテンツ配信ルート決定支援サーバ２０に対して広告業者情報の登録依頼または変更依頼を行う。この場合、広告業者情報を最初に登録するときには登録依頼となり、過去に広告業者情報の登録を行っていた場合には変更依頼となる。
【００６３】
コンテンツ配信ルート決定支援サーバ２０は、コンテンツ広告業者端末５０からの広告業者情報の登録依頼または変更依頼があると（ステップＳ２０１）、広告業者情報入力画面を表示させるための広告業者情報入力画面情報を、コンテンツ広告業者端末５０に向けてネットワーク６０を介して送信する（ステップＳ２０２）。
【００６４】
広告業者情報入力画面情報を取得すると、コンテンツ利用者端末４０は、広告業者情報入力画面情報に基づく広告業者情報入力画面を自己が備える表示装置に表示する。
【００６５】
図５は、広告業者情報入力画面の一例を示す説明図である。図５に示すように、広告業者情報入力画面には、広告業者Ｂの名称を表示する表示領域７５と、その他の広告業者情報を入力する入力領域７６とが設けられている。図５に示すように、広告業者情報は、例えば、営業担当社員の数、専有率、および営業実績を、地域別や路線別で示した情報などの、宣伝広告能力に関する様々な情報が含まれる。なお、図５に示した広告業者情報は一例であり、広告業者情報には、テレビジョン放送やラジオ放送などの各広告メディア毎の営業実績、各広告メディアとの提携関係など、宣伝広告能力を示す他の情報が含まれ得る。
【００６６】
広告業者情報入力画面が表示されると、広告業者Ｂの担当者は、コンテンツ広告業者端末５０が備える入力装置を用いて、各入力領域に自己の所属する広告業者Ｂについての広告業者情報を入力する。コンテンツ広告業者端末５０は、広告業者情報の入力を終えた広告業者Ｂの担当者からの指示に従って、入力された広告業者情報を、通信ネットワーク６０を介してコンテンツ配信ルート決定支援サーバ２０に向けて送信する。
【００６７】
なお、過去に広告業者情報の登録を行っていた場合には、コンテンツ広告業者端末５０に広告業者情報入力画面が表示されるときに、各入力領域７６に現在の登録情報が表示される。よって、変更がある場合には、入力領域７６に表示されている既登録情報を削除したり変更したりすればよい。
【００６８】
広告業者情報を受信すると（ステップＳ２０３）、コンテンツ配信ルート決定支援サーバ２０は、受信した広告業者情報をデータベース２１に格納し（ステップＳ２０４）、広告業者情報を新規登録または更新する。広告業者情報がデータベース２１に格納されると、ここでの広告業者情報取得処理が終了する。
【００６９】
図６は、本例のコンテンツ配信ルート決定支援システム１０における制作者情報取得処理の一例を示すフローチャートである。
【００７０】
ここでは、コンテンツ配信ルート決定支援サーバ２０が、コンテンツ制作者端末３０から取得した後述する制作者情報を、データベース２１に格納する処理が実行される。なお、コンテンツ制作者端末３０を管理する映画制作業者Ｃは、コンテンツ配信ルート決定支援サーバ２０に対して、コンテンツ制作者端末３０を用いて予めユーザ登録を行い、ユーザＩＤとパスワードを取得しているものとする。また、この例では、制作者情報の登録は、コンテンツ毎になされるものとする。
【００７１】
先ず、コンテンツ配信ルート決定支援サーバ２０は、コンテンツ制作者端末３０からのアクセス要求があると、ユーザＩＤとパスワードの入力を要求する。なお、アクセス要求は、例えば、コンテンツ配信ルート決定支援サーバ２０のＵＲＬを指定することによってなされる。そして、コンテンツ配信ルート決定支援サーバ２０は、要求に応じて入力されたユーザＩＤとパスワードによって認証すると、コンテンツ制作者端末３０からのアクセスを許容する。コンテンツ制作者端末３０は、アクセスが許容されると、映画制作業者Ｃの担当者の操作に応じて、コンテンツ配信ルート決定支援サーバ２０に対して制作者情報の登録依頼または変更依頼を行う。この場合、あるコンテンツについて制作者情報を最初に登録するときには登録依頼となり、過去に制作者情報の登録を行っていた場合には変更依頼となる。例えば、既に制作者情報が登録されているコンテンツが指定されると変更依頼となり、未だ制作者情報が登録されていないコンテンツが指定されると登録依頼となる。
【００７２】
コンテンツ配信ルート決定支援サーバ２０は、コンテンツ制作者端末３０からの制作者情報の登録依頼または変更依頼があると（ステップＳ３０１）、制作者情報入力画面を表示させるための制作者情報入力画面情報を、通信ネットワーク６０を介してコンテンツ制作者端末３０に向けて送信する（ステップＳ３０２）。
【００７３】
制作者情報入力画面情報を取得すると、コンテンツ利用者端末４０は、制作者情報入力画面情報に基づく制作者情報入力画面を自己が備える表示装置に表示する。
【００７４】
図７は、制作者情報入力画面の一例を示す説明図である。図７に示すように、制作者情報入力画面には、映画制作業者Ｃの名称を表示する表示領域８１と、その他の制作者情報を入力する入力領域８２とが設けられている。図７に示すように、制作者情報は、例えば、映画の作品名、映画監督の名前、出演者の名前、封切り希望日、世代や性別などの動員観客の予想を示す情報など、制作業者やコンテンツに関する様々な情報が含まれる。さらに、この例では、制作者情報に、コンテンツの上映を許容する映画館の条件を示す情報（以下、「映画館条件情報」という）と、コンテンツの広告を依頼する広告業者の条件を示す情報（以下、「広告業者条件情報」という）とが含まれている。なお、図７に示した制作者情報は一例であり、例えば、コンテンツが完成している場合におけるそのコンテンツを示す情報（例えば映画データ）、コンテンツが未だ完成していない場合における完成予定日、邦画、洋画、アニメ映画などのコンテンツのジャンルなど、コンテンツに関する他の情報が含まれ得る。
【００７５】
映画館条件情報は、例えば上述した映画館情報の各項目の一部または全部について、制作したコンテンツの上映を許容するための条件を指定した情報を意味する。具体的には、映画館条件情報によって、例えば、スクリーンのサイズが６ｍ×２２ｍ以上で、Ａ社のＸという機種のプロジェクタを使用していて、座席数が３００以上のホールで上映する映画館であることを指定する。
【００７６】
広告業者条件情報は、例えば上述した広告業者情報の各項目の一部または全部について、制作したコンテンツの宣伝広告の依頼対象業者とするための条件を指定した情報を意味する。具体的には、広告業者条件情報によって、例えば、関東エリアと関西エリアにそれぞれ２０名以上の営業担当者が存在し、関東エリアと関西エリアでそれぞれ年間３億円以上の興行収入を得た営業実績がある広告業者であることを指定する。
【００７７】
制作者情報入力画面が表示されると、映画制作業者Ｃの担当者は、コンテンツ制作者端末３０が備える入力装置（例えば、キーボード、マウス）を用いて、各入力領域８２に自己の所属する映画制作業者Ｃが制作したコンテンツついての制作者情報を入力する。コンテンツ制作者端末３０は、制作者情報の入力を終えた映画制作業者Ｃの担当者からの指示に従って、入力された制作者情報を、通信ネットワーク６０を介してコンテンツ配信ルート決定支援サーバ２０に向けて送信する。
【００７８】
なお、過去に制作者情報の登録を行っていた場合には、コンテンツ制作者端末３０に制作者情報入力画面が表示され、コンテンツの名称である作品名が入力されたときに、各入力領域８２に現在の登録情報が表示される。よって、変更がある場合には、入力領域８２に表示されている既登録情報を削除したり変更したりすればよい。
【００７９】
制作者情報を受信すると（ステップＳ３０３）、コンテンツ配信ルート決定支援サーバ２０は、受信した制作者情報をデータベース２１に格納し（ステップＳ３０４）、制作者情報を新規登録または更新する。制作者情報がデータベース２１に格納されると、ここでの制作者情報取得処理が終了する。
【００８０】
図８は、本例のコンテンツ配信ルート決定支援システム１０における配信先選択処理の一例を示すフローチャートである。ここでの配信先選択処理は、例えば、制作者情報がデータベース２１に登録されたときに開始される。
【００８１】
ここでは、コンテンツ配信ルート決定支援サーバ２０が、データベース２１に格納されている映画館情報を提供した各映画館の中から、映画制作業者Ｃが制作したコンテンツＤを配信する映画館を選択する処理が実行される。なお、コンテンツＤに関する制作者情報は、上述した制作者情報取得処理によってデータベース２１に格納されているものとする。
【００８２】
先ず、コンテンツ配信ルート決定支援サーバ２０は、コンテンツＤに関する制作者情報に含まれている映画館条件情報をデータベース２１から読み出す（ステップＳ４０１）。次いで、データベース２１に格納されている映画館情報を読み出す。なお、映画館情報は、ステップＳ４０２〜ステップＳ４０５のループ処理におけるステップＳ４０２が実行される毎に、例えば、映画館の名称の５０音順などの予め定められた順番で順次読み出される。
【００８３】
映画館情報を読み出すと、コンテンツ配信ルート決定支援サーバ２０は、映画館条件情報と映画館情報とを比較して、その映画館情報が映画館条件情報に示された条件を満たしているか否か確認する（ステップＳ４０３）。条件を満たしていれば、コンテンツ配信ルート決定支援サーバ２０は、その映画館情報が示す映画館の名称を、配信先リストに登録する（ステップＳ４０４）。そして、データベース２１の格納情報を確認し、未確認の映画館情報があればステップＳ４０２の処理に移行する（ステップＳ４０５のＹ）。一方、未確認の映画館情報がなければ（ステップＳ４０５のＮ）、コンテンツ配信ルート決定支援サーバ２０は、全ての映画館についての確認を終えたものとして、ステップＳ４０２〜ステップＳ４０５のループ処理によって作成された配信先リストをデータベース２１に格納する。
【００８４】
上記のようにして、コンテンツの配信先の映画館が選択される。なお、コンテンツ配信ルート決定支援サーバ２０は、作成した配信先リストを、例えば電子メールにて、コンテンツＤを制作した制作業者が管理するコンテンツ制作者端末３０に向けて送信する。また、コンテンツ配信ルート決定支援サーバ２０は、作成した配信先リストに掲載されている各映画館で管理されている各コンテンツ利用者端末４０に向けて、それぞれ、配信先として選択されたことを例えば電子メールにて通知する。
【００８５】
なお、配信先リストを受け取ったコンテンツＤの制作業者が、その配信先リストにもとづいて実際に配信する映画館を決定し、コンテンツ制作者端末３０を用いて決定結果をコンテンツ配信ルート決定支援サーバ２０に通知するようにしてもよい。その場合、コンテンツ配信ルート決定支援サーバ２０は、コンテンツＤの制作業者からの決定結果にもとづいて、配信先として決定された各映画館で管理されている各コンテンツ利用者端末４０に向けて、それぞれ、配信先として選択されたことを例えば電子メールにて通知するようにすればよい。
【００８６】
また、コンテンツＤが制作者情報として登録されている場合には、コンテンツ配信ルート決定支援サーバ２０は、配信先として決定された各映画館で管理されている各コンテンツ利用者端末４０に向けて、それぞれ、コンテンツＤを示す映画データを送信する。一方、コンテンツＤが未だ登録されていない場合には、登録され次第、配信先として決定された各映画館で管理されている各コンテンツ利用者端末４０に向けて送信するようにすればよい。
【００８７】
図９は、本例のコンテンツ配信ルート決定支援システム１０における広告業者選択処理の一例を示すフローチャートである。ここでの広告業者選択処理は、例えば、制作者情報がデータベース２１に登録されたときに開始される。
【００８８】
ここでは、コンテンツ配信ルート決定支援サーバ２０が、データベース２１に格納されている広告業者情報を提供した各広告業者の中から、映画制作業者Ｃが制作したコンテンツＤの宣伝広告を依頼する広告業者を決定するための広告業者リストを作成するための処理が実行される。なお、コンテンツＤに関する制作者情報は、上述した制作者情報取得処理によってデータベース２１に格納されているものとする。
【００８９】
先ず、コンテンツ配信ルート決定支援サーバ２０は、コンテンツＤに関する制作者情報に含まれている広告業者条件情報をデータベース２１から読み出す（ステップＳ５０１）。次いで、データベース２１に格納されている広告業者情報を読み出す。なお、広告業者情報は、ステップＳ５０２〜ステップＳ５０５のループ処理におけるステップＳ５０２が実行される毎に、例えば、広告業者の名称の５０音順などの予め定められた順番で順次読み出される。
【００９０】
広告業者情報を読み出すと、コンテンツ配信ルート決定支援サーバ２０は、広告業者条件情報と広告業者情報とを比較して、その広告業者情報が広告業者条件情報に示された条件を満たしているか否か確認する（ステップＳ５０３）。条件を満たしていれば、コンテンツ配信ルート決定支援サーバ２０は、その広告業者情報が示す広告業者の名称と、広告業者情報の一部（例えば広告業者条件情報で指定されていた項目についての情報）を、広告業者リストに登録する（ステップＳ５０４）。そして、データベース２１の格納情報を確認し、未確認の広告業者情報があればステップＳ５０２の処理に移行する（ステップＳ５０５のＹ）。一方、未確認の広告業者情報がなければ（ステップＳ５０５のＮ）、コンテンツ配信ルート決定支援サーバ２０は、全ての広告業者についての確認を終えたものとして、ステップＳ５０２〜ステップＳ５０５のループ処理によって作成された広告業者リストをデータベース２１に格納する。
【００９１】
上記のようにして、コンテンツの広告を依頼する広告業者のリストが作成される。なお、コンテンツ配信ルート決定支援サーバ２０は、作成した広告業者リストを、例えば電子メールにて、コンテンツＤを制作した制作業者が管理するコンテンツ制作者端末３０に向けて送信する。その後、コンテンツＤを制作した制作業者は、広告業者リストの掲載情報を参考にして、広告業者リストに掲載されている広告業者の中から、コンテンツＤの宣伝広告を実際に依頼する広告業者を決定する。なお、制作業者が決定結果をコンテンツ配信ルート決定支援サーバ２０に通知するようにして、コンテンツ配信ルート決定支援サーバ２０が、依頼先として決定された広告業者が管理するコンテンツ広告業者端末５０に向けて、コンテンツＤの宣伝広告の依頼先として決定されたことを通知するようにしてもよい。
【００９２】
なお、コンテンツ配信ルート決定支援サーバ２０が作成した広告業者リストに掲載されている広告業者を依頼する広告業者に決定するようにしてもよい。この場合、広告業者条件情報によって、決定する広告業者の数や、広告業者条件情報にて指定した条件のうち最優先とする項目を指定するようにすればよい。そして、広告業者条件情報に指定された条件を満たす各広告業者の中から、最優先とされている項目の条件に関して優秀な成績を挙げている指定数の広告業者を抽出し、依頼先の広告業者に決定するようにすればよい。
【００９３】
以上説明したように、上述した第１の実施の形態において、コンテンツ制作者が指定した映画館条件情報にもとづいて、コンテンツを配信する映画館を決定する構成としたことで、コンテンツ制作者が希望する設備や環境を有する映画館を、容易かつ迅速に配信先として選択することができる。すなわち、コンテンツの適切な配信先を容易に決定することができ、コンテンツの配信ルートを容易かつ適切に決定することができる。
【００９４】
また、上述した第１の実施の形態では、コンテンツ制作者が指定した広告業者条件情報にもとづいて、コンテンツの宣伝広告を依頼する広告業者のリストを作成する構成としたことで、コンテンツ制作者が希望する営業能力を有する広告業者のリストの中から、実際に依頼する広告業者を容易かつ的確に決定することができる。すなわち、意図する広告業者の選択を容易かつ迅速に行うことができる。
【００９５】
なお、制作業者は、依頼する広告業者を介して各映画館に映画データを配信するようにしてもよい。そのように構成した場合には、映画データを、制作業者から依頼先に決定された広告業者に送信し、その後に依頼先の広告業者から提供先の映画館に送信することが決定されるため、映画データの配信ルートが決定されることになる。従って、映画データの配信ルートを容易かつ適切に決定することができるようになるのである。
【００９６】
なお、上述した第１の実施の形態におけるコンテンツ配信ルート決定支援システムは、コンテンツ制作者、コンテンツ利用者およびコンテンツ広告業者による市場において、コンテンツの制作者が優位である場合に特に有効なシステムである。例えば、多大な興行収入が見込めるコンテンツを制作した制作者などが市場において優位になる場合が想定される。上記の実施の形態において、コンテンツ配信ルート決定支援サーバ２０を、市場において優位な映画制作者が管理するようにしてもよい。
【００９７】
また、上述した第１の実施の形態では、コンテンツ広告業者が登場する構成としていたが、コンテンツ広告業者が存在しない構成であってもよい。
【００９８】
次に、本発明の第２の実施の形態について図面を参照して説明する。なお、上述した第１の実施の形態にて既に説明したものと同一構成をなす部分については、同一の符号を付与してその詳細な説明は省略する。
【００９９】
図１０は、この実施の形態における広告業者情報入力画面の例を示す説明図である。この例では、図５に示した広告業者情報の他、図１０に示す広告業者情報が広告業者情報取得処理（図４参照）にてデータベース２１に格納される。
【０１００】
図１０に示すように、この実施の形態では、広告業者情報に、宣伝広告の対象として許容するコンテンツの条件を示すコンテンツ条件情報と、映画館条件情報（この例では宣伝対象のコンテンツを上映することを許容する条件を示す情報として取り扱われる）とが含まれる。
【０１０１】
コンテンツ条件情報は、例えば上述した制作者情報の各項目の一部または全部について、宣伝広告の対象として許容するコンテンツとするための条件を指定した情報を意味する。具体的には、コンテンツ条件情報によって、例えば、動員観客の予想世代が１０代〜２０代であり、封切り希望日が所定期間の間であって、上映時間が２時間以内のコンテンツであることを指定する。なお、過去の制作実績（例えば、監督した映画の本数、過去の監督作品の興行収入）や出演実績（例えば、出演した映画の本数、主演した映画の本数、出演した映画の興行収入）などによって監督や出演者をランク付けし、そのランクを指定するようにしてもよい。
【０１０２】
映画館条件情報は、この例では、例えば上述した映画館情報の各項目の一部または全部について、宣伝対象のコンテンツを上映することを許容するための条件を指定した情報を意味する。具体的には、映画館条件情報によって、例えば、スクリーンのサイズが５ｍ×２０ｍ以上で、Ｂ社のＹという機種のプロジェクタを使用していて、所定日以降の上映予定がなく、座席数が２００〜２５０の範囲内であるホールで上映する映画館であることを指定する。
【０１０３】
なお、この実施の形態では、コンテンツの制作者は、映画館条件情報および広告業者条件情報の指定を行わないものとする。
【０１０４】
図１１は、本例のコンテンツ配信ルート決定支援システム１０におけるコンテンツ決定処理の一例を示すフローチャートである。ここでのコンテンツ決定処理は、例えば、定期的（１ヶ月毎、３ヶ月毎など）に開始される。
【０１０５】
ここでは、コンテンツ配信ルート決定支援サーバ２０が、データベース２１に格納されている制作者情報を提供した制作者が制作した各コンテンツの中から、広告業者Ｂが宣伝広告を行うコンテンツを選択する処理が実行される。
【０１０６】
先ず、コンテンツ配信ルート決定支援サーバ２０は、広告業者Ｂの広告業者情報に含まれているコンテンツ条件情報をデータベース２１から読み出す（ステップＳ６０１）。次いで、データベース２１に格納されている制作者情報を読み出す。なお、制作者情報は、ステップＳ６０２〜ステップＳ６０５のループ処理におけるステップＳ６０２が実行される毎に、例えば、制作者の名称の５０音順などの予め定められた順番で順次読み出される。
【０１０７】
制作者情報を読み出すと、コンテンツ配信ルート決定支援サーバ２０は、コンテンツ条件情報と制作者情報とを比較して、その制作者情報がコンテンツ条件情報に示された条件を満たしているか否か確認する（ステップＳ６０３）。条件を満たしていれば、コンテンツ配信ルート決定支援サーバ２０は、その制作者情報が示すコンテンツの名称などの情報（例えば制作者の名称など）をコンテンツリストに登録する（ステップＳ６０４）。そして、データベース２１の格納情報を確認し、未確認の制作者情報があればステップＳ６０２の処理に移行する（ステップＳ６０５のＹ）。一方、未確認の制作者情報がなければ（ステップＳ６０５のＮ）、コンテンツ配信ルート決定支援サーバ２０は、全ての映画館についての確認を終えたものとして、ステップＳ６０２〜ステップＳ６０５のループ処理によって作成された配信先リストをデータベース２１に格納する。
【０１０８】
上記のようにして、広告業者Ｂが宣伝広告を行うコンテンツが選択される。なお、コンテンツ配信ルート決定支援サーバ２０は、作成したコンテンツリストを、例えば電子メールにて、広告業者Ｂが管理するコンテンツ広告業者端末５０に向けて送信する。また、コンテンツ配信ルート決定支援サーバ２０は、作成したコンテンツリストに掲載されている各コンテンツを制作したコンテンツ制作者が管理するコンテンツ制作者端末３０に向けて、それぞれ、コンテンツが広告業者Ｂによって宣伝広告されることに決定されたことを例えば電子メールにて通知する。
【０１０９】
なお、コンテンツリストを受け取った広告業者Ｂが、そのコンテンツリストにもとづいて実際に広告を行うコンテンツを決定し、コンテンツ広告業者端末５０を用いて決定結果をコンテンツ配信ルート決定支援サーバ２０に通知するようにしてもよい。その場合、コンテンツ配信ルート決定支援サーバ２０は、広告業者Ｂからの決定結果にもとづいて、広告の行うコンテンツとして決定された各コンテンツを制作した各制作者が管理している各コンテンツ制作者端末３０に向けて、それぞれ、広告業者Ｂが広告を行う業者として選択されたことを例えば電子メールにて通知するようにすればよい。
【０１１０】
また、実際に広告を行うものと決定されたコンテンツが制作者情報として登録されている場合には、コンテンツ配信ルート決定支援サーバ２０は、それらのコンテンツを示す映画データを、それぞれ、広告業者Ｂが管理するコンテンツ広告業者端末５０に向けて送信する。一方、未だ登録されていないコンテンツについては、登録され次第、広告業者Ｂが管理するコンテンツ広告業者端末５０に向けて送信するようにすればよい。
【０１１１】
図１２は、本例のコンテンツ配信ルート決定支援システム１０における配信先選択処理の一例を示すフローチャートである。ここでの配信先選択処理は、例えば、データベース２１に登録された制作者情報が示すコンテンツの広告宣伝を依頼する広告業者が決定され、その広告業者によってそのコンテンツに関する映画館条件情報が登録されたときに開始される。
【０１１２】
ここでは、コンテンツ配信ルート決定支援サーバ２０が、データベース２１に格納されている映画館情報を提供した各映画館の中から、広告業者Ｂで宣伝広告を行うことが決定されたコンテンツＥを配信する映画館を選択する処理が実行される。
【０１１３】
先ず、コンテンツ配信ルート決定支援サーバ２０は、広告業者Ｂが登録したコンテンツＥに関する映画館条件情報をデータベース２１から読み出す（ステップＳ７０１）。次いで、データベース２１に格納されている映画館情報を読み出す。なお、映画館情報は、ステップＳ７０２〜ステップＳ７０５のループ処理におけるステップＳ７０２が実行される毎に、例えば、映画館の名称の５０音順などの予め定められた順番で順次読み出される。
【０１１４】
映画館情報を読み出すと、コンテンツ配信ルート決定支援サーバ２０は、映画館条件情報と映画館情報とを比較して、その映画館情報が映画館条件情報に示された条件を満たしているか否か確認する（ステップＳ７０３）。条件を満たしていれば、コンテンツ配信ルート決定支援サーバ２０は、その映画館情報が示す映画館の名称を、配信先リストに登録する（ステップＳ７０４）。そして、データベース２１の格納情報を確認し、未確認の映画館情報があればステップＳ７０２の処理に移行する（ステップＳ７０５のＹ）。一方、未確認の映画館情報がなければ（ステップＳ７０５のＮ）、コンテンツ配信ルート決定支援サーバ２０は、全ての映画館についての確認を終えたものとして、ステップＳ７０２〜ステップＳ７０５のループ処理によって作成された配信先リストをデータベース２１に格納する。
【０１１５】
上記のようにして、コンテンツＥの配信先の映画館が選択される。なお、コンテンツ配信ルート決定支援サーバ２０は、作成した配信先リストを、例えば電子メールにて、広告業者Ｂが管理するコンテンツ広告業者端末５０と、コンテンツＥを制作した制作業者が管理するコンテンツ制作者端末３０とに向けてそれぞれ送信する。また、コンテンツ配信ルート決定支援サーバ２０は、作成した配信先リストに掲載されている各映画館で管理されている各コンテンツ利用者端末４０に向けて、それぞれ、コンテンツＥの配信先として選択されたことを例えば電子メールにて通知する。
【０１１６】
なお、配信先リストを受け取った広告業者Ｂが、その配信先リストにもとづいて実際に配信する映画館を決定し、コンテンツ広告業者端末５０を用いて決定結果をコンテンツ配信ルート決定支援サーバ２０に通知するようにしてもよい。その場合、コンテンツ配信ルート決定支援サーバ２０は、広告業者Ｂからの決定結果にもとづいて、配信先として決定された各映画館で管理されている各コンテンツ利用者端末４０に向けて、それぞれ、配信先として選択されたことを例えば電子メールにて通知するようにすればよい。
【０１１７】
また、コンテンツＥが制作者情報として登録されている場合には、コンテンツ配信ルート決定支援サーバ２０は、広告業者Ｂが管理するコンテンツ広告業者端末５０に向けて、コンテンツＥを示す映画データを送信する。一方、コンテンツＥが未だ登録されていない場合には、登録され次第、広告業者Ｂが管理するコンテンツ広告業者端末５０に向けて送信するようにすればよい。
【０１１８】
以上説明したように、上述した第２の実施の形態において、コンテンツ広告業者が指定したコンテンツ条件情報にもとづいて、宣伝広告の対象となるコンテンツを決定する構成としたことで、コンテンツ広告業者が希望するコンテンツを容易かつ迅速に選択することができるようになり、営業能力を最大限に発揮した宣伝広告活動を実行することができるようになる。すなわち、広告対象とするコンテンツを適切かつ容易に決定することができ、コンテンツの配信ルートを適切かつ容易に決定することができる。
【０１１９】
また、上述した第２の実施の形態では、コンテンツ広告業者が指定した映画館条件情報にもとづいて、コンテンツを配信する映画館を決定する構成としたことで、コンテンツ広告業者が希望する設備や環境を有する映画館を、容易かつ迅速に配信先として選択することができる。すなわち、広告対象とするコンテンツの配信先を適切かつ容易に決定することができ、コンテンツの配信ルートを適切かつ容易に決定することができる。
【０１２０】
なお、上述した第２の実施の形態におけるコンテンツ配信ルート決定支援システムは、コンテンツ制作者、コンテンツ利用者およびコンテンツ広告業者による市場において、コンテンツの広告業者が優位である場合に特に有効なシステムである。例えば、広告メディアとの関係が深い広告業者などが市場において優位となる場合が想定される。上記の実施の形態において、コンテンツ配信ルート決定支援サーバ２０を、市場において優位な広告業者が管理するようにしてもよい。
【０１２１】
次に、本発明の第３の実施の形態について図面を参照して説明する。なお、上述した第１および第２の実施の形態にて既に説明したものと同一構成をなす部分については、同一の符号を付与してその詳細な説明は省略する。
【０１２２】
図１３は、この実施の形態における映画館情報入力画面の例を示す説明図である。この例では、図３に示した映画館情報の他、図１３に示す映画館情報が映画館情報取得処理（図２参照）にてデータベース２１に格納される。
【０１２３】
図１３に示すように、この実施の形態では、映画館情報に、コンテンツ条件情報（この例では上映対象のコンテンツとして許容するための条件を示す）と、広告業者条件情報（この例では上映するコンテンツの宣伝広告を行うことを許容するための条件を示す情報として取り扱われる）とが含まれる。
【０１２４】
コンテンツ条件情報は、例えば上述した制作者情報の各項目の一部または全部について、上映対象のコンテンツとして許容するための条件を指定した情報を意味する。具体的には、コンテンツ条件情報によって、例えば、動員観客の予想世代が１０代〜２０代であり、封切り予定日が所定日以降であり、上映時間が２時間以内のコンテンツであることを指定する。なお、過去の制作実績（例えば、監督した映画の本数、過去の監督作品の興行収入）や出演実績（例えば、出演した映画の本数、主演した映画の本数、出演した映画の興行収入）などによって監督や出演者をランク付けし、そのランクを指定するようにしてもよい。
【０１２５】
広告業者条件情報は、この例では、例えば上述した広告業者情報の各項目の一部または全部について、上映するコンテンツの宣伝広告を行うことを許容するための条件を指定した情報を意味する。具体的には、広告業者条件情報によって、例えば、九州エリアと関西エリアに営業担当者がそれぞれ５０人存在する広告業者であることを指定する。
【０１２６】
なお、この実施の形態では、コンテンツの制作者は、映画館条件情報および広告業者条件情報の指定を行わないものとする。また、この実施の形態では、コンテンツの広告業者は、コンテンツ条件情報および映画館条件情報の指定を行わないものとする。
【０１２７】
図１４は、本例のコンテンツ配信ルート決定支援システム１０におけるコンテンツ決定処理の一例を示すフローチャートである。ここでのコンテンツ決定処理は、例えば、定期的（１ヶ月毎、３ヶ月毎など）に開始される。
【０１２８】
ここでは、コンテンツ配信ルート決定支援サーバ２０が、データベース２１に格納されている制作者情報を提供した制作者が制作した各コンテンツの中から、映画館Ｓで上映するコンテンツを選択する処理が実行される。
【０１２９】
先ず、コンテンツ配信ルート決定支援サーバ２０は、映画館Ｓに関する映画館情報に含まれているコンテンツ条件情報をデータベース２１から読み出す（ステップＳ８０１）。次いで、データベース２１に格納されている制作者情報を読み出す。なお、制作者情報は、ステップＳ８０２〜ステップＳ８０５のループ処理におけるステップＳ８０２が実行される毎に、例えば、制作者の名称の５０音順などの予め定められた順番で順次読み出される。
【０１３０】
制作者情報を読み出すと、コンテンツ配信ルート決定支援サーバ２０は、コンテンツ条件情報と制作者情報とを比較して、その制作者情報がコンテンツ条件情報に示された条件を満たしているか否か確認する（ステップＳ８０３）。条件を満たしていれば、コンテンツ配信ルート決定支援サーバ２０は、その制作者情報が示すコンテンツの名称などの情報（例えば制作者の名称など）をコンテンツリストに登録する（ステップＳ８０４）。そして、データベース２１の格納情報を確認し、未確認の制作者情報があればステップＳ８０２の処理に移行する（ステップＳ８０５のＹ）。一方、未確認の制作者情報がなければ（ステップＳ８０５のＮ）、コンテンツ配信ルート決定支援サーバ２０は、全ての映画館についての確認を終えたものとして、ステップＳ８０２〜ステップＳ８０５のループ処理によって作成された配信先リストをデータベース２１に格納する。
【０１３１】
上記のようにして、映画館Ｓにて上映されるコンテンツが選択される。なお、コンテンツ配信ルート決定支援サーバ２０は、作成したコンテンツリストを、例えば電子メールにて、映画館Ｓの管理者が管理しているコンテンツ利用者端末４０に向けて送信する。また、コンテンツ配信ルート決定支援サーバ２０は、作成したコンテンツリストに掲載されている各コンテンツを制作したコンテンツ制作者が管理するコンテンツ制作者端末３０に向けて、それぞれ、映画館Ｓにて上映されることが決定されたことを例えば電子メールにて通知する。
【０１３２】
なお、コンテンツリストを受け取った映画館Ｓの管理者が、そのコンテンツリストにもとづいて実際に上映するコンテンツを決定し、コンテンツ利用者端末４０を用いて決定結果をコンテンツ配信ルート決定支援サーバ２０に通知するようにしてもよい。その場合、コンテンツ配信ルート決定支援サーバ２０は、映画館Ｓの管理者からの決定結果にもとづいて、映画館Ｓにて上映することが決定されたコンテンツの各制作者によって管理されている各コンテンツ制作者端末３０に向けて、それぞれ、映画館Ｓにて上映することが決定されたことを例えば電子メールにて通知するようにすればよい。
【０１３３】
また、映画館Ｓにて上映することが決定されたコンテンツが制作者情報として登録されている場合には、コンテンツ配信ルート決定支援サーバ２０は、映画館Ｓで管理されているコンテンツ利用者端末４０に向けて、各コンテンツを示す各映画データを送信する。一方、映画館Ｓにて上映することが決定されたコンテンツが未だ登録されていない場合には、登録され次第、映画館Ｓで管理されているコンテンツ利用者端末４０に向けて送信するようにすればよい。
【０１３４】
図１５は、本例のコンテンツ配信ルート決定支援システム１０における広告業者選択処理の一例を示すフローチャートである。ここでの広告業者決定処理は、例えば、データベース２１に登録された制作者情報が示すコンテンツを上映する映画館が決定され、その映画館の管理者によってそのコンテンツに関する映画館条件情報が登録されたときに開始される。
【０１３５】
ここでは、コンテンツ配信ルート決定支援サーバ２０が、データベース２１に格納されている広告業者情報を提供した各広告業者の中から、映画館Ｓにて上映されることが決定されたコンテンツＦの宣伝広告を行う広告業者が選択される処理が実行される。
【０１３６】
先ず、コンテンツ配信ルート決定支援サーバ２０は、映画館Ｓの管理者が登録したコンテンツＦに関する広告業者条件情報をデータベース２１から読み出す（ステップＳ９０１）。次いで、データベース２１に格納されている広告業者情報を読み出す。なお、広告業者情報は、ステップＳ９０２〜ステップＳ９０５のループ処理におけるステップＳ９０２が実行される毎に、例えば、広告業者の名称の５０音順などの予め定められた順番で順次読み出される。
【０１３７】
広告業者情報を読み出すと、コンテンツ配信ルート決定支援サーバ２０は、広告業者条件情報と広告業者情報とを比較して、その広告業者情報が広告業者条件情報に示された条件を満たしているか否か確認する（ステップＳ９０３）。条件を満たしていれば、コンテンツ配信ルート決定支援サーバ２０は、その広告業者情報が示す広告業者の名称を、広告業者リストに登録する（ステップＳ９０４）。そして、データベース２１の格納情報を確認し、未確認の広告業者情報があればステップＳ９０２の処理に移行する（ステップＳ９０５のＹ）。一方、未確認の広告業者情報がなければ（ステップＳ９０５のＮ）、コンテンツ配信ルート決定支援サーバ２０は、全ての広告業者についての確認を終えたものとして、ステップＳ９０２〜ステップＳ９０５のループ処理によって作成された配信先リストをデータベース２１に格納する。
【０１３８】
上記のようにして、コンテンツＦの宣伝広告を依頼することを許容できる広告業者のリストが作成される。なお、コンテンツ配信ルート決定支援サーバ２０は、作成した広告業者リストを、例えば電子メールにて、映画館Ｓの管理者が管理するコンテンツ利用者端末４０に向けて送信する。映画館Ｓの管理者は、送られてきた広告業者リストを参照し、コンテンツＦの宣伝広告を実際に依頼する広告業者を決定し、その決定結果をコンテンツ利用者端末４０を用いてコンテンツ配信ルート決定支援サーバ２０に対して通知する。すると、コンテンツ配信ルート決定支援サーバ２０は、依頼先として決定された広告業者が管理するコンテンツ広告業者端末５０と、コンテンツＦを制作した制作業者が管理するコンテンツ制作者端末３０とに向けて、依頼先の広告業者が決定した旨の通知を行う。
【０１３９】
なお、コンテンツ配信ルート決定支援サーバ２０が作成した広告業者リストに掲載されている広告業者を、コンテンツＦの宣伝広告を依頼する広告業者に決定するようにしてもよい。この場合、広告業者条件情報によって、決定する広告業者の数や、広告業者条件情報にて指定した条件のうち最優先とする項目を指定するようにすればよい。そして、広告業者条件情報に指定された条件を満たす各広告業者の中から、最優先とされている項目の条件に関して優秀な成績を挙げている指定数の広告業者を抽出し、依頼先の広告業者に決定するようにすればよい。
【０１４０】
以上説明したように、上述した第３の実施の形態において、コンテンツ利用者が指定したコンテンツ条件情報にもとづいて、利用の対象となるコンテンツを決定する構成としたことで、コンテンツ利用者が希望するコンテンツを容易かつ迅速に選択することができるようになる。よって、コンテンツ利用者の設備や環境に合致したコンテンツを簡単に選択することができる。すなわち、コンテンツの適切な配信元を容易に決定することができ、コンテンツの配信ルートを容易かつ適切に決定することができる。
【０１４１】
また、上述した第３の実施の形態では、コンテンツ利用者が指定した広告業者条件情報にもとづいて、コンテンツの宣伝広告を依頼する広告業者のリストを作成する構成としたことで、コンテンツ利用者が希望する営業能力を有する広告業者のリストの中から、実際に依頼する広告業者を容易かつ的確に決定することができる。すなわち、コンテンツ利用者が意図する広告業者の選択を容易かつ迅速に行うことができる。
【０１４２】
なお、コンテンツ利用者は、依頼する広告業者を介して映画データが配信されるようにしてもよい。そのように構成した場合には、映画データを、制作業者から依頼先に決定された広告業者に送信し、その後に依頼先の広告業者から提供先のコンテンツ利用者に送信することが決定されるため、映画データの配信ルートが決定されることになる。従って、映画データの配信ルートを容易かつ適切に決定することができるようになるのである。
【０１４３】
なお、上述した第３の実施の形態におけるコンテンツ配信ルート決定支援システムは、コンテンツ制作者、コンテンツ利用者およびコンテンツ広告業者による市場において、コンテンツ利用者が優位である場合に特に有効なシステムである。例えば、同一施設内に複数の映画館を備えているようなシネマコンプレックスと呼ばれる映画館施設を管理するコンテンツ利用者などが市場において優位となる場合が想定される。なお、市場において優位とされているコンテンツ利用者が、コンテンツ配信ルート決定支援サーバ２０を管理するようにしてもよい。
【０１４４】
上述した各実施の形態にて説明したように、本システム１０を用いてコンテンツの提供元（例えば制作業者）と提供先（例えば映画館）とを決定し、また必要に応じて中継先（例えば広告業者）を決定することで、映画データの配信ルートを容易かつ適切に決定することができる。
【０１４５】
そして、決定された配信ルートに従って映画データが配信される。なお、映画データが配信される際には、データ圧縮して通信負荷を軽減させたり、暗号化して情報の漏洩を防止したりすることが望ましい。
【０１４６】
また、コンテンツ利用者にコンテンツが配信される際には、例えば、一括してコンテンツデータを提供するようにすればよい。この場合、コンテンツ利用者側でコンテンツを保存し、その保存データを用いてコンテンツを利用（例えば映画の上映）するようにしてもよい。また、例えば、ストリーミングと呼ばれる方式によってコンテンツデータを提供するようにしてもよい。この場合、コンテンツ利用者は、コンテンツの受信処理を行いながら、受信データにもとづく再生処理などを実行していくことになる。
【０１４７】
また、上述した各実施の形態において、コンテンツ条件情報、広告業者条件情報および映画館条件情報の各項目について、優先度を設定するようにしてもよい。そして、例えば、上述したコンテンツ決定処理、配信先選択処理および広告業者選択処理において、全ての条件を満たすものがない場合に、優先度の低い条件を無視して、リストの作成のための処理などを再度実行するようにすればよい。
【０１４８】
また、上述した各実施の形態では特に言及していないが、映画館や配給会社に対する課金処理は、どのようになされていてもよい。例えば、映画の制作費、広告費、映画館での動員観客数や入場料金などを本システム１０において管理し、本システム１０のサーバ２０が、制作者、映画館および配給会社それぞれの取り分を算出し、金融機関が運営するサーバに対して、例えば映画館の指定口座から制作者の指定口座に所定金額の振り込みを指示する処理などの各種の処理を行うようにすればよい。
【０１４９】
また、上述した実施の形態では、市場において優位な制作者、映画館または配給会社が存在する場合を想定していたが、そのような前提がない場合についても適用することができる。この場合、制作者、映画館および配給会社がそれぞれ条件情報を登録し、本システム１０のサーバ２０が、マッチングを行うことで、配信ルートの組み合わせを図るようにすればよい。
【０１５０】
また、上述した各実施の形態では、コンテンツを映画データとして説明していたが、映画館、公民館、コンサートホールなどの様々な施設にて利用されるものであれば、動画像データ、静止画像データ、音声データなどの他の情報であってもよい。
【０１５１】
また、上述した各実施の形態では、各種の情報を通信ネットワーク６０を介して送受する構成としていたが、例えば映画館情報、広告業者情報、または制作者情報などの各種情報の送受の一部または全部を、データを記憶させた記録媒体や、データを記入した用紙などを郵送することによって行うようにしてもよい。
【０１５２】
なお、上述した各実施の形態では特に説明していないが、コンテンツ配信ルート決定支援サーバ２０は、上述した各処理を実行させるための制御プログラム（コンテンツ提供ルート決定支援プログラム）に従って動作している。この制御プログラムは、コンテンツ配信ルート決定支援サーバ２０に、コンテンツ制作者端末３０からのコンテンツを利用する利用施設の条件を示す利用施設条件情報（例えば映画館条件情報）を含む提供者情報（例えば制作者情報）と、コンテンツ利用者端末４０からの利用施設の内容を含む利用者情報（例えば映画館情報）とを通信ネットワーク６０を介して受信するステップと、受信した提供者情報および利用者情報を保存するステップと、保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択するステップとを実行させるプログラムである。
【０１５３】
また、他の制御プログラムは、コンテンツ配信ルート決定支援サーバ２０に、コンテンツ制作者端末３０からのコンテンツの内容を含む提供者情報と、利用者端末からの利用施設の内容を含む利用者情報と、コンテンツの広告を行う広告業者が管理するコンテンツ広告業者端末５０からの広告を行うコンテンツの内容の条件を示すコンテンツ条件情報を含む広告業者情報とを通信ネットワークを介して受信するステップと、受信した提供者情報、利用者情報および広告業者情報を保存するステップと、保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップとを実行させるプログラムである。
【０１５４】
さらに他の制御プログラムは、コンテンツ配信ルート決定支援サーバ２０に、コンテンツ制作者端末３０からのコンテンツの内容を含む提供者情報と、利用者端末からの利用するコンテンツの内容の条件を示すコンテンツ条件情報を含む利用者情報とを通信ネットワークを介して受信するステップと、受信した提供者情報および利用者情報を保存するステップと、保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップとを実行させるプログラムである。
【０１５５】
【発明の効果】
以上のように、本発明のコンテンツ提供ルート決定支援サーバによれば、コンテンツ提供端末からのコンテンツを利用する利用施設の条件を示す利用施設条件情報を含む提供者情報と、利用者端末からの利用施設の内容を含む利用者情報とを通信ネットワークを介して受信する情報受信手段と、受信した提供者情報および利用者情報を保存する情報保存手段と、情報保存手段に保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択する提供先選択手段とを含むものであるので、コンテンツの提供者が指定した条件を満たすコンテンツの提供先を的確に抽出することができ、コンテンツを有効に利用することができる利用施設を有する利用者にコンテンツを提供することを容易かつ迅速に決定することができる。
【０１５６】
情報受信手段が、コンテンツの広告を行う広告業者が管理するコンテンツ広告業者端末からの、広告能力を示す広告業者情報を受信し、情報保存手段が、広告業者情報を保存し、提供者情報は、広告業務を依頼する広告業者の条件を示す広告業者条件情報を含み、情報保存手段に保存されている広告業者情報の中から広告業者条件情報が示す条件を満たす広告業者情報を抽出し、抽出した広告業者情報が示す広告業者を、当該広告業者条件情報を含む提供者情報が示すコンテンツの広告を依頼する業者として選択する広告業者選択手段を備えた構成とされている場合には、コンテンツの提供者が指定した条件を満たすコンテンツの広告業者を的確に抽出することができ、意図する広告業者の選択を容易かつ迅速に行うことができる。
【０１５７】
また、本発明のコンテンツ提供ルート決定支援サーバによれば、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信する情報受信手段と、受信した提供者情報、利用者情報および広告業者情報を保存する情報保存手段と、情報保存手段に保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択する広告対象コンテンツ選択手段とを含むものであるので、コンテンツの広告業者が指定した条件を満たすコンテンツを的確に抽出することができ、広告対象のコンテンツを容易かつ迅速に決定することができる。
【０１５８】
広告業者情報は、広告を行う所定のコンテンツを利用する利用施設の条件を示す利用施設条件情報を含み、情報保存手段に保存されている利用者情報の中から利用施設条件情報が示す条件を満たす利用者情報を抽出し、抽出した利用者情報が示すコンテンツ利用者端末を、当該利用施設条件情報を含む広告業者情報が示す所定のコンテンツの提供先として選択する提供先選択手段を備えた構成とされている場合には、コンテンツの広告業者が指定した条件を満たす利用者を的確に抽出することができ、広告対象のコンテンツの利用に適した利用者を容易かつ迅速に決定することができる。
【０１５９】
また、本発明のコンテンツ提供ルート決定支援サーバによれば、コンテンツ提供端末からのコンテンツの内容を含む提供者情報と、利用者端末からの利用するコンテンツの内容の条件を示すコンテンツ条件情報を含む利用者情報とを通信ネットワークを介して受信する情報受信手段と、受信した提供者情報および利用者情報を保存する情報保存手段と、情報保存手段に保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択する提供コンテンツ選択手段とを含むものであるので、コンテンツの利用者が指定した条件を満たすコンテンツを的確に抽出することができ、利用対象のコンテンツを容易かつ迅速に決定することができる。
【０１６０】
情報受信手段が、コンテンツの広告を行う広告業者が管理するコンテンツ広告業者端末からの、広告能力を示す広告業者情報を受信し、情報保存手段が、広告業者情報を保存し、利用者情報は、提供を受ける所定のコンテンツの広告業務を依頼する広告業者の条件を示す広告業者条件情報を含み、情報保存手段に保存されている広告業者情報の中から広告業者条件情報が示す条件を満たす広告業者情報を抽出し、抽出した広告業者情報が示す広告業者を、当該広告業者条件情報を含む利用者情報が示す所定のコンテンツの広告を依頼する業者として選択する広告業者選択手段を備えた構成とされている場合には、コンテンツの利用者が指定した条件を満たすコンテンツの広告業者を的確に抽出することができ、意図する広告業者の選択を容易かつ迅速に行うことができる。
【０１６１】
コンテンツが、映画の上映に用いられる映画データであるように構成されている場合には、映画データの提供元や提供先などの組合せを容易かつ迅速に行うことができるようになる。
【０１６２】
また、本発明のコンテンツ提供ルート決定支援方法によれば、コンテンツ提供端末からのコンテンツを利用する利用施設の条件を示す利用施設条件情報を含む提供者情報と、利用者端末からの利用施設の内容を含む利用者情報とを通信ネットワークを介して受信するステップと、受信した提供者情報および利用者情報を保存するステップと、保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択するステップとを含むものであるので、コンテンツの提供者が指定した条件を満たすコンテンツの提供先を的確に抽出することができ、コンテンツを有効に利用することができる利用施設を有する利用者にコンテンツを提供することを容易かつ迅速に決定することができる。
【０１６３】
提供者情報は、コンテンツの広告業務を依頼する広告業者の条件を示す広告業者条件情報を含み、広告業者が管理するコンテンツ広告業者端末からの広告能力を示す広告業者情報を受信するステップと、広告業者情報を保存するステップと、保存されている広告業者情報の中から広告業者条件情報が示す条件を満たす広告業者情報を抽出し、抽出した広告業者情報が示す広告業者を、当該広告業者条件情報を含む提供者情報が示すコンテンツの広告を依頼する業者として選択するステップとを含む構成とされている場合には、コンテンツの提供者が指定した条件を満たすコンテンツの広告業者を的確に抽出することができ、意図する広告業者の選択を容易かつ迅速に行うことができる。
【０１６４】
また、本発明のコンテンツ提供ルート決定支援方法によれば、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、受信した提供者情報、利用者情報および広告業者情報を保存するステップと、保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップとを含むものであるので、コンテンツの広告業者が指定した条件を満たすコンテンツを的確に抽出することができ、広告対象のコンテンツを容易かつ迅速に決定することができる。
【０１６５】
広告業者情報は、広告を行う所定のコンテンツを利用する利用施設の条件を示す利用施設条件情報を含み、保存されている利用者情報の中から利用施設条件情報が示す条件を満たす利用者情報を抽出し、抽出した利用者情報が示すコンテンツ利用者端末を、当該利用施設条件情報を含む広告業者情報が示す所定のコンテンツの提供先として選択するステップを含む構成とされている場合には、コンテンツの広告業者が指定した条件を満たす利用者を的確に抽出することができ、広告対象のコンテンツの利用に適した利用者を容易かつ迅速に決定することができる。
【０１６６】
また、本発明のコンテンツ提供ルート決定支援方法によれば、コンテンツ提供端末からのコンテンツの内容を含む提供者情報と、利用者端末からの利用するコンテンツの内容の条件を示すコンテンツ条件情報を含む利用者情報とを通信ネットワークを介して受信するステップと、受信した提供者情報および利用者情報を保存するステップと、保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップとを含むものであるので、コンテンツの利用者が指定した条件を満たすコンテンツを的確に抽出することができ、利用対象のコンテンツを容易かつ迅速に決定することができる。
【０１６７】
利用者情報は、提供を受ける所定のコンテンツの広告業務を依頼する広告業者の条件を示す広告業者条件情報を含み、広告業者が管理するコンテンツ広告業者端末からの広告能力を示す広告業者情報を受信するステップと、広告業者情報を保存するステップと、保存されている広告業者情報の中から広告業者条件情報が示す条件を満たす広告業者情報を抽出し、抽出した広告業者情報が示す広告業者を、当該広告業者条件情報を含む利用者情報が示す所定のコンテンツの広告を依頼する業者として選択するステップとを含む構成とされている場合には、コンテンツの利用者が指定した条件を満たすコンテンツの広告業者を的確に抽出することができ、意図する広告業者の選択を容易かつ迅速に行うことができる。
【０１６８】
また、本発明のコンテンツ提供ルート決定支援プログラムによれば、コンピュータに、コンテンツ提供端末からのコンテンツを利用する利用施設の条件を示す利用施設条件情報を含む提供者情報と、利用者端末からの利用施設の内容を含む利用者情報とを通信ネットワークを介して受信するステップと、受信した提供者情報および利用者情報を保存するステップと、保存されている利用者情報の中から利用施設条件情報が示す条件を満たす利用者情報を抽出し、抽出した利用者情報が示すコンテンツ利用者端末を、当該利用施設条件情報を含む提供者情報が示すコンテンツの提供先として選択するステップとを実行させることを特徴とするものであるので、コンテンツの提供者が指定した条件を満たすコンテンツの提供先をコンピュータに的確に抽出させることができ、コンテンツを有効に利用することができる利用施設を有する利用者にコンテンツを提供することを容易かつ迅速に決定することができる。
【０１６９】
また、本発明のコンテンツ提供ルート決定支援プログラムによれば、コンピュータに、コンテンツ提供端末からのコンテンツの内容を含む提供者情報と、利用者端末からの利用施設の内容を含む利用者情報と、コンテンツの広告を行う広告業者が管理するコンテンツ広告業者端末からの広告を行うコンテンツの内容の条件を示すコンテンツ条件情報を含む広告業者情報とを通信ネットワークを介して受信するステップと、受信した提供者情報、利用者情報および広告業者情報を保存するステップと、保存されている提供者情報の中からコンテンツ条件情報が示す条件を満たす提供者情報を抽出し、抽出した提供者情報が示すコンテンツを、当該コンテンツ条件情報を含む広告業者情報が示す広告業者が広告を行うコンテンツとして選択するステップとを実行させることを特徴とするものであるので、コンテンツの広告業者が指定した条件を満たすコンテンツをコンピュータに的確に抽出させることができ、広告対象のコンテンツを容易かつ迅速に決定することができる。
【０１７０】
さらに、本発明のコンテンツ提供ルート決定支援プログラムによれば、コンピュータに、コンテンツ提供端末からのコンテンツの内容を含む提供者情報と、利用者端末からの利用するコンテンツの内容の条件を示すコンテンツ条件情報を含む利用者情報とを通信ネットワークを介して受信するステップと、受信した提供者情報および利用者情報を保存するステップと、保存されている提供者情報の中からコンテンツ条件情報が示す条件を満たす提供者情報を抽出し、抽出した提供者情報が示すコンテンツを、当該コンテンツ条件情報を含む利用者情報が示すコンテンツ利用者端末に提供するコンテンツとして選択するステップとを実行させることを特徴とするものであるので、コンテンツの利用者が指定した条件を満たすコンテンツをコンピュータに的確に抽出させることができ、利用対象のコンテンツを容易かつ迅速に決定することができる。
【図面の簡単な説明】
【図１】本発明の第１の実施の形態におけるコンテンツ配信ルート決定支援システムの構成の例を示すブロック図である。
【図２】映画館情報取得処理の例を示すフローチャートである。
【図３】映画館情報入力画面の例を示す説明図である。
【図４】広告業者情報取得処理の例を示すフローチャートである。
【図５】広告業者情報入力画面の例を示す説明図である。
【図６】制作者情報取得処理の例を示すフローチャートである。
【図７】制作者情報入力画面の例を示す説明図である。
【図８】本発明の第１の実施の形態における配信先選択処理の例を示すフローチャートである。
【図９】本発明の第１の実施の形態における広告業者選択処理の例を示すフローチャートである。
【図１０】本発明の第２の実施の形態における広告業者情報入力画面の例を示す説明図である。
【図１１】本発明の第２の実施の形態におけるコンテンツ決定処理の例を示すフローチャートである。
【図１２】本発明の第２の実施の形態における配信先選択処理の例を示すフローチャートである。
【図１３】本発明の第３の実施の形態における映画館情報入力画面の例を示す説明図である。
【図１４】本発明の第３の実施の形態におけるコンテンツ決定処理の例を示すフローチャートである。
【図１５】本発明の第３の実施の形態における広告業者選択処理の例を示すフローチャートである。
【符号の説明】
１０　コンテンツ配信ルート決定支援システム
２０　コンテンツ配信ルート決定支援サーバ
２１　データベース
３０　コンテンツ制作者端末
４０　コンテンツ利用者端末
５０　コンテンツ広告業者端末
６０　通信ネットワーク
【図１】
2004118640.tif 000003
【図２】
2004118640.tif 000004
【図３】
2004118640.tif 000005
【図４】
2004118640.tif 000006
【図５】
2004118640.tif 000007
【図６】
2004118640.tif 000008
【図７】
2004118640.tif 000009
【図８】
2004118640.tif 000010
【図９】
2004118640.tif 000011
【図１０】
2004118640.tif 000012
【図１１】
2004118640.tif 000013
【図１２】
2004118640.tif 000014
【図１３】
2004118640.tif 000015
【図１４】
2004118640.tif 000016
【図１５】
2004118640.tif 000017